(57)【要約】【課題】光ピックアップをガイドレールに沿って移動する為のモーターを利用してトレイの搬送及びトラバースユニットの昇降動を行なう動力切り替え機構であって、動力伝達経路の切り替えタイミングを良好にして信頼性を高くし、部品の形状を簡素化すると共に寸法精度を緩和した動力切り替え機構の提供。【解決手段】ピニオン５が噛み合って光ピックアップ３を移動させるラック４にはリブ１０を形成し、トラバースシャーシ７に設けたギヤ機構にはバネ力が付勢されて揺動できるアーム１１を備えている。そしてアーム１１にはトレイ搬送ギヤＪと噛み合う切り替えギヤＩを取付け、アーム１１にはツメ８を形成すると共にアームピン１５を起立している。また、トラバースシャーシ７にはツメ８に係止する一方、リブ１０によって除去されるロックピン９を起立している。【選択図】        図９
2004152390.tif 000002
【特許請求の範囲】
【請求項１】
光ピックアップをガイドレールに沿って移動する為のモーターを利用してトレイの搬送及びトラバースユニットの昇降動を行なう動力切り替え機構において、ピニオンが噛み合って光ピックアップを移動させるラックにはリブを形成し、トラバースシャーシに設けたギヤ機構にはバネ力が付勢されて揺動可能なアームを備え、そして該アームにはトレイ搬送ギヤと噛み合うことが出来る切り替えギヤを取付け、アームにはツメを形成すると共にアームピンを起立し、さらにトラバースシャーシには上記ツメに係止する一方、リブによって解除されるロックピンを起立したことを特徴とするディスク装置の動力切り替え機構。
【請求項２】
上記ラック先端を傾斜させてトレイ搬送装置側のラック当り分の先端傾斜面に係合可能とした請求項１記載のディスク装置の動力切り替え機構。
【発明の詳細な説明】
【０００１】
【発明の属する技術分野】
本発明はディスク装置のトレイの搬送とトラバースユニットの昇降動、及び光ピックアップの移動を１つのモーターで行なうようにした動力の切り替え機構に関するものである。
【０００２】
【従来の技術】
ディスク装置にも色々な型式があるが、ディスクを装置内部に搬入し、該ディスクをターンテーブルに装着・クランプし、ディスクを回転しながら光ピックアップを移動することで記録・再生が行われる。ディスクを装置内へ搬入する為の手段として、スライドするトレイを備える場合、又開口から直接挿入して装置内部に設けている引き込み装置にて搬入する場合もある。
【０００３】
装置内部に搬入されたディスクをターンテーブルに装着するには、所定の位置にて保持されているディスクにトラバースユニットが上昇して近づき、ターンテーブルに装着後はディスクの回転と共にトラバースユニットに取付けてある光ピックアップが移動する。
【０００４】
ところで、上記トレイをスライドさせると共にトラバースユニットを昇降動させる為のモーター（１）、及びターンテーブルに装着されたディスクを回転させる為のモーター（２）、さらに光ピックアップを移動させる為のモーター（３）が必要となる。すなわち、これらの動作を行なうには３つのモーター（１）、（２）、（３）が必要であるが、モーターを削減して３つの動作を１個ないし２個のモーターで共用したディスク装置も知られている。特開２０００−２２２８０３に係るディスク装置もその１つである。
【０００５】
該ディスク装置は、
（１）光ピックアップを移動する送りラックとモーターの動力伝達経路を切替える為の切り替えラックを設けている。
（２）光ピックアップを移動するモーターから、トレイに搬送動力を伝達するギヤ群を備えている。
（３）モーターの動力はラック駆動ギヤを介して送りラックに伝達され、光ピックアップをディスク内周部に搬送する。
（４）動力伝達経路の切り替え機構として、光ピックアップの切り替えラックと、切り替えラックと噛み合って回転し動力伝達経路を切替えるトリガレバーと、トリガレバーに係合し該トリガレバーが回転不必要な時には動かないようにロックされるロックレバーを設けている。
（５）光ピックアップがディスク内周部に搬送されると、各部材の作用でモーターの動力が光ピックアップの搬送から、トラバースユニットの降下、トレイの搬送を順に行なう。
（６）トレイがディスクの着脱位置にあるときは、モーターの回転方向を上記と逆にすることで、光ピックアップの移動にメカのモードを移行することが出来る。
【０００６】
このように、動力伝達経路の切り替え機構を設けることで、トレイの搬送とトラバースユニットの昇降、及び光ピックアップの移動を１つのモーターで行うことが出来、コンパクトで軽くて、安価なディスク装置を目的としている。
【０００７】
しかし、上記切替え機構では、切り替えラック、トリガレバー、該トリガレバーの動作により回転するカムギヤの動作のタイミングがズレ易く、動力伝達経路の切り替え機構としての信頼性が低い。そしてラック部、トリガレバー、ロックレバー，カムギヤなどの部品形状が複雑であって、各部品に高い寸法精度が要求され、部品形状の複雑化に伴って成形用の金型代も高くなる。
一方、モーターの動力伝達経路の切り替えにトリガレバー、ロックレバー等の樹脂製部品を設ける必要があり、モーターの削減によるコストダウンの効果が薄れる。そして、トラバースユニットにトリガレバーやロックレバー等の別部品を取付けるスペースが必要となり、ディスク装置は大きく成ってしまう。
【０００８】
【発明が解決しようとする課題】
このように、従来のディスク装置には上記のごとき問題がある。本発明が解決しようとする課題はこれら問題点であり、１個のモーターでもってトレイのスライド動作及びトラバースユニットの昇降動、そして光ピックアップの移動を行なうことが出来るように、動力伝達経路の切り替えタイミングを良好にして信頼性を高くし、部品形状を簡素化して寸法精度を緩和し、ディスク装置を小型化できる動力切り替え機構を提供する。
【０００９】
【課題を解決する為の手段】
本発明に係るディスク装置の動力切り替え機構は、次の特徴をもって構成している。
（１）光ピックアップには、該光ピックアップを搬送する送りラックを設けている。
（２）光ピックアップを搬送するモーターから、トレイに搬送動力を伝達するギヤ群を設けている。
（３）モーターの動力はラック駆動ギヤを介して送りラックに伝達され、ピックアップを搬送移動する。
【００１０】
（４）動力伝達経路の切り替え機構として、送りラックのリブと、切り替えギヤと、このギヤを保持して回転するアームと、アームの回転を止めるロックピンを設けている。
（５）ロックピンはトラバースユニットシャーシ部のアウトサート樹脂により形成し、ピンの部分から根元までバネ性のある弾性部分を持っている。
（６）ディスク再生時はロックピンによりアームの回転を止める。
（７）送りラックのリブがロックピンを動かし、アームのロックを解除する。
（８）アームはバネの付勢力により回転し、切り替えギヤとトレイ駆動ギヤが噛み合う。
【００１１】
（９）送りラックからラック駆動ギヤが離れ、光ピックアップの搬送からトラバースユニットの降下、トレイの搬送を順に行なう。
（１０）  トレイがディスクの着脱位置にあるときは、モーターの回転方向を上記と逆にすることで、光ピックアップの移動にメカのモードを移行することが出来る。
以下、本発明に係る実施例を図面に基づいて詳細に説明する。
【００１２】
【実施例】
図１はディスク装置を示している平面図であり、点線で示しているトレイ１は突出した状態にある。同図の２はトラバースユニット、３は該トラバースユニット２に設けている光ピックアップを表している。該トレイ１にはディスクが載置されて、後退することでディスク装置内に搬入され、トラバースユニット２は上昇してターンテーブルにディスクが装着・クランプされる。この状態で、ディスクは回転し、光ピックアップ３は中央部から外方向へ、又該方向から中央部へ移動しながら記録・再生が行われる。
【００１３】
ところで、本発明が対象とするディスク装置は、１個のモーターにてトレイ１の搬送、光ピックアップ３の移動、及びトラバースユニット２の昇降動が行なわれるようにギヤ機構及び動力の切り替え機構を構成している。図２は本発明の動力切り替え機構を示している実施例であり、トラバースシャーシ７には光ピックアップ３が取着され、ガイドレール６に沿って光ピックアップ３が移動することが出来るように、光ピックアップ３の片側にはラック４を取着し、該ラック４はトラバースシャーシ７に取付けられているピニオン５と噛み合っている。
【００１４】
ピニオン５はラック駆動ギヤＨと同心を成して設けられ、ラック駆動ギヤＨはモーターの主軸に取着しているギヤＡと噛み合うギヤＣを介して回転駆動する。すなわち、光ピックアップ３はモーターによってガイドレール６に沿って移動することが出来、しかもギヤＡ、ギヤＢ、ギヤＣ、及びラック駆動ギヤＨで構成するギヤ機構を介して一定速度で移動する。
【００１５】
一方、モーターの回転は、ギヤＡ、ギヤＢ、ギヤＤ、ギヤＥ、ギヤＦ、ギヤＧから成るギヤ機構を介して切り替えギヤＩを回転することが出来る。同図に示している切り替えギヤＩはトレイ搬送ギヤＪから隔離しているが、該切り替えギヤＩは揺動アームに取付けられていて、このアーム１１が揺動することでトレイ搬送ギヤＪと噛み合うことが出来る。該トレイ搬送ギヤＪが回転することでトレイ１は搬送され、又トラバースユニット２が昇降動する。
【００１６】
図３は図２の具体例であって、切り替えギヤＩはアーム１１に取付けられ、該アーム１１はギヤＧの回転軸を中心として揺動し、該切り替えギヤＩはトレイ搬送ギヤＪに噛み合うことが出来る。同図では切り替えギヤＩがトレイ搬送ギヤＪに噛み合わないように、アーム１１に設けているツメ８がトラバースシャーシ７から起立しているロックピン９に係止している。
【００１７】
同図は光ピックアップ３が移動して終端部付近に位置している場合であるが、エジェクトボタンを押してモーターを起動するならば、ラック４がピニオン５の回転によって送られ、ラック４に設けているリブ１０がロックピン９に係合して該ロックピン９を倒し、ロックピン９はアーム１１のツメ８から外れる。軸１８にはバネ１２が取付けられて、該バネ１２のバネ力がアーム１１に付勢されて反時計方向に揺動することが出来、切り替えギヤＩはトレイ搬送ギヤＪに噛み合うことになる。
【００１８】
図４はラック４のリブ１０がロックピン９に係合してアーム１１のツメ８から外れ、該アーム１１がバネ力によって反時計方向に揺動し、アーム１１に取付けている切替えギヤＩがトレイ搬送ギヤＪに噛み合う手前の状態を示している。図５はアーム１１が揺動して切り替えギヤＩがトレイ搬送ギヤＪと噛み合った状態である。そして、ラック４に設けているリブ１０はロックピン９を通過し、弾性変形にて位置を変えたロックピン９は元の位置に戻る。
【００１９】
ところで、ディスクを再生し終わるならば光ピックアップ３は所定の位置で停止するが、該ディスクを取出す為にエジェクトボタンを押すことでモーターが起動し、前記図３から図５に示すような動作を行なってトラバースユニット２が降下し、又トレイ１が搬出される。光ピックアップ３に設けているラック４の先端は傾斜していて、該先端がラック１３に設けている当り部１４に当接してラック１３を移動させる。該ラック１３が移動することでトラバースユニット２は降下し、トレイ搬送ギヤＪの回転によってトレイ１はスライドして排出される。
【００２０】
図６、図７、図８はアーム１１とリブ１０の関係を示している斜視図であり、リブ１０は実線で表しているが、実際はラック４の下側に突出して形成されている。同図に示すアーム１１には切り替えギヤＩとギヤＦ、ギヤＧは省略されているが、該アーム１１に形成しているツメ８は垂直に起立しているロックピン９に係止している。アーム他端にはアームピン１５が起立していて、バネ１２（図示なし）の一方端部が該アームピン１５に係止する。
【００２１】
アーム１１は反時計方向に揺動するバネ力が付勢されるが、ツメ８がロックピン９に係止することで、アーム１１の揺動は阻止される。ただし、図７に示すようにラック４が移動してリブ１０ａが起立するロックピン９に当るならば、アーム１６が撓み変形して該ロックピン９はツメ８から外れる。しかし、アーム１１に起立しているアームピン１５がリブ１０ｂに係止してアーム１１の反時計方向への揺動を阻止する。リブ１０ｂは傾斜していて、アームピン１５は傾斜面に係止している為にリブ１０の移動に伴ってアーム１１は揺動するが、図８に示すようにロックピン９はリブ１０が通過した後は元の位置に戻り、切り替えギヤＩはトレイ搬送ギヤＪに噛み合う。
【００２２】
図９はアーム１１、ロックピン９、及びリブ１０の関係を分り易く図案化して示している。
（ａ）はロックピン９にツメ８が係止している場合で、アーム１１は揺動することが出来ない。
（ｂ）はラック４の移動によってリブ１０ａがロックピン９に当接した場合であるが、ツメ８は該ロックピン９に係止している。
（ｃ）はロックピン９をリブ１０ａが押圧してロックピン９を支持されているアーム１６が撓み変形する。
（ｄ）はリブ１０ａによってロックピン９が押圧されてアーム１６が大きく撓み変形しているが、該アーム端に起立しているアームピン１５がリブ１０ｂに当ることになる。従って、アーム１１は反時計方向に揺動することが出来ない。
（ｅ）はリブ１０ａがさらに移動してロックピン９を外方向へ押し出した場合であるが、アームピン１５がリブ１０ｂに係止することでアーム１１は揺動することなく定位置にある。
（ｆ）も同じくアームピン１５がリブ１０ｂに係止している。
（ｇ）はアームピン１５がリブ１０ｂに係止しているが、リブ１０ｂは傾斜面１７を有し、該傾斜面１７にアームピン１５が係止する為に、リブ１０が移動することでアーム１１は僅かに揺動する。
（ｈ）はアーム１１が反時計方向に揺動して該アーム１１に取付けられている切替えギヤＩがトレイ搬送ギヤＪに噛み合った場合である。従って、リブ１０ｂがアームピン１５から離れている。
【００２３】
図９の（ａ）〜（ｈ）は光ピックアップ３を移動して、トラバースユニット２が降下し、そしてトレイ１が排出される場合の動力の切り替えが行なわれる際のアーム１１、ロックピン９、及びリブ１０の動作を示している。逆に、トレイ１を搬入し、トラバースユニット２を上昇し、光ピックアップ３を移動させる場合の動力の切り替えは、（ｈ）〜（ａ）の順序で行なわれる。
【００２４】
以上述べたように、本発明の動力切り替え機構は、トラバースユニットの光ピックアップを移動させるギヤ機構に切り替えギヤを設け、アームの揺動によってトレイ搬送ギヤに噛み合わせることが出来るようにしたもので、次のような効果を得ることが出来る。
【００２５】
【発明の効果】
本発明に係る動力の切り替え機構をディスクに備えることで、１個のモーターにて光ピックアップの移動、トラバースユニットの昇降動、及びトレイの搬送を行うことが出来る。該切り替え機構は、光ピックアップに設けたラックにリブを形成し、バネ力が付勢されて揺動するアームには切り替えギヤを取付け、ピックアップシャーシにはロックピンを起立したもので、光ピックアップを移動させることで動力の切り替え動作が安定して行われる。そして、切り替え機構を構成する上記部品の形状は簡略化され、部品の寸法精度も緩和される。又部品を成形する為の金型の製作は容易となり、金型代は安くなる。
【図面の簡単な説明】
【図１】ディスク装置の全体図。
【図２】動力伝達を行なうギヤ機構。
【図３】リブがロックピンに係止する前の動力切り替え機構。
【図４】リブがロックピンに係止した場合の動力切り替え機構。
【図５】リブがロックピンを通過した後の動力切り替え機構。
【図６】リブがロックピンに係止する前の動力切り替え機構を示す斜視図。
【図７】リブがロックピンに係止した場合の動力切り替え機構を示す斜視図。
【図８】リブがロックピンを通過した後の動力切り替え機構を示す斜視図。
【図９】アームとロックピン、及びリブの関係。
【符号の説明】
１  トレイ
２  トラバースユニット
３  光ピックアップ
４  ラック
５  ピニオン
６  ガイドレール
７  トラバースシャーシ
８  ツメ
９  ロックピン
１０  リブ
１１  アーム
１２  バネ
１３  ラック
１４  当り部
１５  アームピン
１６  アーム
１７  傾斜面
１８  軸
【図１】
2004152390.tif 000003
【図２】
2004152390.tif 000004
【図３】
2004152390.tif 000005
【図４】
2004152390.tif 000006
【図５】
2004152390.tif 000007
【図６】
2004152390.tif 000008
【図７】
2004152390.tif 000009
【図８】
2004152390.tif 000010
【図９】
2004152390.tif 000011